(57)【要約】      （修正有）【課題】従来のハンカチ状メガネ拭き布では、力を入れ辛く、汚れが残りやすい欠点があった。また、布のすきまよりメガネに触れた指の皮脂汚れが再付着し、清掃が完全に行えないという欠点があった。【解決手段】メガネ拭きを、開口部のある袋状に縫製又は貼り付けることで、手指を挿入してメガネを拭くことを可能とし、皮脂汚れのメガネへの再付着を防ぐことが可能となった。さらに、効率的に一点に圧力を集中させるために、布の接合部分の角度を親指とその他の指の開きにほぼ同等とし、少ない力で接近させ汚れを払拭できるように工夫した。且つ、メガネ清掃にあたる布部分は接合部を避け、傷の発生を防止することも可能とした。また、袋状部分に眼鏡を収納することで、簡便にメガネを保管し持ち運びも容易である。【選択図】図３
0003131046.tif 000002
【実用新案登録請求の範囲】
【請求項１】
布材で形成されると共に一辺に開口部を有し、前記開口部から手指を挿入可能な袋状のメガネ拭きであって、
前記開口部の所定位置と前記開口部と対向する辺の両端のそれぞれとを結ぶ縫合線を有するメガネ拭き。
【請求項２】
前記開口部と対向する辺は前記布材を折り返すことで形成された請求項１記載のメガネ拭き。
【請求項３】
前記開口部の内側に、前記布材よりも高い強度を有する芯材を取り付けてなる請求項１から２のいずれか記載のメガネ拭き。
【請求項４】
前記開口部から手指を挿入した場合に、前記手指の先端に対応する位置に、前記布材と異なる素材を縫製もしくは貼り付けてなる請求項１から３のいずれか記載のメガネ拭き。
【考案の詳細な説明】
【技術分野】
【０００１】
本考案は、メガネ拭き用布を利用した、開口部を持つ袋状メガネ拭きに関するものである。
【背景技術】
【０００２】
従来のメガネ拭きは、一枚のハンカチ状の布片を使用し汚れをふき取るのが一般的である。（例えば、特許文献１参照）
【０００３】
【特許文献１】実開昭５７−１９９１９号公報
【考案の開示】
【考案が解決しようとする課題】
【０００４】
ハンカチ状のメガネ拭き布片では、メガネの汚れを清掃する場合、一方の手は布片を持ちレンズ等を拭く。この場合、拭き残りが発生する。さらに他方の手は素手でメガネを支えなければならない。この状態において、美化後のメガネ本体部分に再び、手指の皮脂等が付着する、という欠点があった。
【０００５】
本考案は、このような従来の問題を解決しようとするものであり、手指による効率的な圧力で拭き残りを減少させ、且つ、メガネの清掃時にメガネ拭き用布を簡便に使用することにより、メガネのレンズや本体への損傷の防止を目的とするものである。
【課題を解決するための手段】
【０００６】
上記目的を達成するために、メガネ拭き用布を、開口部を持つ袋状に縫製又は貼り付けることにより、手指を全く眼鏡本体に触れさせることなく美化を可能にする。
【０００７】
メガネ拭き用布を折り返し、開口部を持つ袋状に縫製又は貼り付けることにより、その接合部分が親指とその他の指を開いた角度に合致する。よって、指のそれぞれ一点に圧力が集中することにより、効率的に汚れを拭うことを可能とした。
【０００８】
また、開口部を持つ袋状のメガネ拭きの布部分に、硬質の材料を使用すると保護材として有効である。
【０００９】
さらに、異素材の布を縫製または貼り付けることにより、装飾的な要素を取り入れてもよい。
【考案の効果】
【００１０】
本考案は、以上説明したように構成されているので、次に記載する効果を奏する。
【００１１】
メガネの汚れを本考案のメガネ拭きで拭き取る場合、開口部より、袋状部分に手指を挿入し、メガネを持つことが出来る。よって、素手でメガネを触ることがなくなり、手指の皮脂の再付着がなくなる。
【００１２】
メガネ拭き用布を折り返し、接合した部分の角度が、親指とその他の指の開きとほぼ同角度のため、安易な力で容易に閉じ開きが可能となる。さらにそれぞれ一点に指の圧力が集中するために効率的に眼鏡が清掃でき、拭き残りを減少させる。
【００１３】
袋部分にメガネを挿入すれば、簡便にメガネの保管や持ち運びも可能となる。
【考案を実施するための最良の形態】
【００１４】
以下、本考案の最良の実施の形態を、実施例に基づく図面を参照して説明する。
【実施例１】
【００１５】
図１に示す実施例では、Ａはメガネ拭きである。１はメガネ拭き用布である。２はメガネ拭き用布を接合した部分である。メガネ拭き用布とは、メガネやレンズを傷つけることない様に開発された専用の布をさす。
【００１６】
図２では実施例１の展開図を示している。４はメガネ拭き用布１を折り返す部分であり、メガネ清掃時に主に使用される部分となる。当該部分に接合部を避けたことで、メガネ本体への清掃時における傷がつくことを防止できる。
【００１７】
３は手指挿入時の力点となる。２の接合部分の角度と、挿入した指、つまり親指とその他の指の開いた角度に合致するため、少ない力で力点を近づけ、メガネレンズ等を効率的に清掃できることを可能とした。
【００１８】
以下、上記実施例１の使用方法を図３に基づいて説明する。図３に示されたメガネ拭きＡの開口部よる、挿入されたＢは手である。Ｂの親指とその他の指を、３の力点に収め、力点同士を接近させる。その時に力点の間にメガネを挟む。それぞれ一点に力点が集中することにより、メガネの汚れの清掃が従来よりも簡便となる。且つ、力点３の間となる折り返し部４には、縫い目又は貼り付けの接合部を排除した。この部分がメガネ清掃時に、メガネに接触することにより、メガネが傷つくことを防止することを可能とした。本体がメガネ拭き用布であることが清掃、傷つき防止効果をさらに高めている。
【００１９】
手指を挿入できる袋部分には、メガネを収納し、保管や持ち運びを簡便に行うことも可能となる。
【実施例２】
【００２０】
図４、図５に示す実施例では、メガネ拭きＡは、メガネ拭き用布１の一部分を折り返したものである。５はクッションとなる保護材で、保管や持ち運びをする際に形状を損なわないためのものである。
【００２１】
図５のメガネ拭きＡの実施例２における断面図では、メガネ拭き用布で、保護材５を表と裏からくるんでいる。
【実施例３】
【００２２】
図６における実施例３では、メガネ拭きＡ１は、メガネ清掃時に使用するメガネ拭き用布と異素材の布を縫製又は貼り付けたものである。
【００２３】
異素材の布を使用することにより、装飾的な楽しさも増加する。さらに、異素材の布が通常のメガネ拭き用布より厚手のものだった場合、袋状部分にめがねを入れた際に、保管や持ち運びが、簡便且つ、保護力が高まるため安全となる。
【図面の簡単な説明】
【００２４】
【図１】本考案に係る実施例１を示すメガネ拭きの正面図
【図２】同実施例１を示すメガネ拭きの展開図
【図３】同実施例１を示すメガネ拭きに手指挿入時の状態の外観図
【図４】本考案に係る実施例２を示すメガネ拭きの正面図
【図５】本考案に係る実施例２を示すメガネ拭きのａ−ａ断面図
【図６】本考案に係る実施例３を示すメガネ拭きの正面図
【図７】同実施例３を示すメガネ拭きの背面図
【図８】同実施例３を示すメガネ拭きのｂ−ｂ断面図
【符号の説明】
【００２５】
Ａ  Ａ１  Ａ２  メガネ拭き本体
Ｂ  手指
１メガネ拭き用布
２メガネ拭き用布接合部
３力点
４メガネ拭き用布折り返し部
５保護材
６メガネ拭き用布とは異素材の布
【図１】
0003131046.tif 000003
【図２】
0003131046.tif 000004
【図３】
0003131046.tif 000005
【図４】
0003131046.tif 000006
【図５】
0003131046.tif 000007
【図６】
0003131046.tif 000008
【図７】
0003131046.tif 000009
【図８】
0003131046.tif 000010